(57)【要約】      （修正有）【課題】植物の茎を吊り紐に確実に留める植物茎誘引用クリップを提供する。【解決手段】植物茎誘引用クリップ１は、中間部の枢支部５で互いに回転自在に枢支する一対の第１及び第２の挟持体２，３と、これらの挟持体の一端部を閉じる方向に回転付勢するＣ字状ばね４とを具備する。第１及び第２の挟持体２，３の一端側に茎Ｐ周りを環状に囲んで拘束する円弧状の茎支持部６を備え、他端側に茎支持部６を開閉操作する摘み部７を備え、枢支部５と茎支持部６との間に、吊り紐Ｒを互いに挟み込む紐止め部８を備える。茎支持部６の一方は、植物の茎Ｐ周りの半周を超える外周を囲む円弧状に形成され、他方は茎Ｐ周りの半周に満たない外周を囲む円弧状に形成され、それによって相互の開き角の中心線から外れた対置で先端部が突き合わされる。第２の挟持体３の摘み部７には、巻き付けた吊り紐Ｒを係止する係止爪７ｄを具備する。【選択図】図６
2014223022.tif 000002
【特許請求の範囲】
【請求項１】
吊り紐に植物の茎を吊り止めて誘引するためのクリップであって、一端側を開閉できるように中間部において互いに回転自在に枢支される第１及び第２の挟持体と、これら挟持体の一端間を閉じる方向に付勢するばねとを具備し、  
前記第１及び第２の挟持体は、相互間で植物の茎周りを囲んで拘束するように一端側に形成された円弧状の茎支持部と、茎支持部間を開閉操作するための他端側の摘み部と、前記枢支部と茎支持部との間にあって相互間で前記吊り紐を挟持する紐止め部とを具備し、
前記第１及び第２の挟持体の茎支持部の一方は、植物の茎周りの半周を超える外周を囲む円弧状に形成され、他方は茎周りの半周に満たない外周を囲む円弧状に形成され、それによって、両茎支持部相互の開き角の中心線から外れた位置で先端部が突き合わされ、
前記第１又は第２の挟持体の摘み部の少なくとも一方に、当該摘み部に巻き付けられた前記吊り紐を係止できるように突出した係止爪が形成されることを特徴とする植物茎誘引用クリップ。
【発明の詳細な説明】
【技術分野】
【０００１】
本発明は、野菜などの植物の茎を吊り紐に留めて茎の伸び方向を誘引するクリップに関する。
【背景技術】
【０００２】
従来、植物茎誘引用クリップとして、特許文献１に記載されたものが知られている。このクリップは、中間部の枢支部により互いを回転可能に枢支する一対の第１及び第２の挟持体と、これらの挟持体の茎支持部の背部に両端部が係止されこれらを閉じる方向に付勢するＣ字状ばねとを具備する。第１及び第２の挟持体は、一端部に茎を支持する半円状の茎支持部と、中間部の枢支部と、他端部の摘み部と、枢支部と茎支持部との間に位置し茎支持部間が閉じたときに互いに嵌合する紐係止用突条部又は長方形状開口部とを備えている。この植物茎誘引用クリップは、垂直又は水平方向に張られた紐に紐係止用突条部及び長方形状開口部で留め、野菜の茎を両茎支持部で拘束し野菜の伸び方向を誘引する。
【先行技術文献】
【特許文献】
【０００３】
【特許文献１】特開２００１−２３８５４７号公報
【発明の概要】
【発明が解決しようとする課題】
【０００４】
上記従来の植物茎誘引用クリップは、第１及び第２の挟持体の茎支持部がほぼ同形で、両先端部が相互の開き角の中心線上で突き合わされる。吊り紐に係止した状態で茎の荷重がかかると、クリップは、係止部を支点に、先端側下がりに傾斜する。茎が太く、長く成長し、あるいは果実が実ると、茎支持部の先端部間に荷重が集中し、両者間が開きやすくなる。先端間が開くと、吊り紐を挟持できなくなり、茎の支持が失われる。
したがって、本発明は、植物の茎の荷重が増しても支持部の先端間が開きにくい植物茎誘引用クリップを提供することを目的とする。
【課題を解決するための手段】
【０００５】
上記課題を解決するための、本発明の植物茎誘引用クリップ１は、一端側を開閉できるように中間部において互いに回転自在に枢支される第１及び第２の挟持体２，３と、これら挟持体２，３の一端間を閉じる方向に付勢するばね４とを具備させた。第１及び第２の挟持体２，３は、相互間で植物の茎Ｐ周りを囲んで拘束するように一端側に形成された円弧状の茎支持部６と、茎支持部６，６間を開閉操作するための他端側の摘み部７と、枢支部５と茎支持部６との間にあって相互間で吊り紐Ｒを挟持する紐止め部８とを具備させた。第１及び第２の挟持体２，３の茎支持部６の一方は、植物の茎Ｐ周りの半周を超える外周を囲む円弧状に形成し、他方は茎周りの半周に満たない外周を囲む円弧状に形成し、それによって、両茎支持部６，６相互の開き角の中心線から外れた位置で先端部を突き合す。第１又は第２の挟持体２，３の摘み部７の少なくとも一方に、当該摘み部７に巻き付けられた吊り紐Ｒを係止できるように突出した係止爪７ｄを形成した。
【発明の効果】
【０００６】
本発明の植物茎誘引用クリップ１においては、第１及び第２の挟持体２，３における茎支持部６の一方が、半周を超える外周にわたって茎を支持するため、茎支持部６の先端部間を開く方向の荷重がかかりにくく、万一、茎支持部６間が開いても、摘み部７に巻き付けられた吊り紐Ｒが係止爪７ｂに係止されるため、クリップ１が吊り紐から外れることがなく、確実に植物の茎を支持することができる。
【図面の簡単な説明】
【０００７】
【図１】本発明に係る植物茎誘引用クリップの斜視図である。
【図２】図１の植物茎誘引用クリップの正面図である。
【図３】図１の植物茎誘引用クリップの側面図である。
【図４】図１の植物茎誘引用クリップの平面図である。
【図５】図１の植物茎誘引用クリップの底面図である。
【図６】吊り紐に装着した状態の植物茎誘引用クリップの正面図である。
【発明を実施するための形態】
【０００８】
本発明の実施の一形態を図面を参照して説明する。
図１ないし図５において、植物茎誘引用クリップ１は、中間部の枢支部５において一端側を開閉自在に互いに枢支される第１，第２の一対の挟持体２，３と、これらの挟持体２，３の一端間を閉じる方向に付勢するＣ字状のばね４とを具備する。挟持体２，３は、枢支部５を挟んで、一端側に茎Ｐを包囲して拘束する円弧状の茎支持部６を、他端側に摘み部７を備え、また、茎支持部６と枢支部５との間に紐止め部８をそれぞれ備える。
【０００９】
茎支持部６は、相対向して植物の茎Ｐ周りを取り囲んで拘束するように円弧状に形成される。第１の挟持体２の茎支持部６は、植物の茎Ｐ周りの半周を超える外周を囲む円弧状に形成され、他方は茎Ｐ周りの半周に満たない外周を囲む円弧状に形成され、それによって、両茎支持部６の相互の開き角の中心線Ｌから外れた位置で先端部が突き合わされる。したがって、茎Ｐが直接、支持部６の先端部に掛かって、先端部間を押し開くように作用することがない。各茎支持部６の先端部には、互いに付き合わせた状態で嵌り合う嵌合凹部６ａと嵌合凸部６ｂとを備える。茎支持部６の外側には、ばね４の端部を係止するためのＬ字状の係止溝６ｃが形成される。
【００１０】
摘み部７は、ばね４を挿通させる通し孔７ａと、開閉操作時に指を添える凹部７ｂと、滑り止めの複数の突条７ｃを備える。第１の挟持体２の摘み部７には、第２の挟持体３の対向面側に、吊り紐Ｒを摘み部７に巻き付けて係止する係止爪７ｄを備える。
【００１１】
紐止め部８は、枢支部５と茎支持部６との間にあって、枢支部５を中心とする茎支持部６の開閉動と共に開閉し、常時は吊り紐Ｒを挟み込んで、クリップ１を吊り紐Ｒに支持するものである。第１の挟持体２の紐止め部８には咬合凹部８ａが、第２の挟持体３の紐止め部８には咬合凹部８ａに嵌る咬合凸部８ｂが、互いに対向している。紐止め部８の対向面には波状歯列８ｃが形成されている。
【００１２】
ばね４は、挟持体２，３の茎支持部６の係止溝６ｃに両端を係止され、枢支部５を中心に、茎支持部６,６間を閉じる方向に回転付勢する。
【００１３】
この植物茎誘引用クリップ１は、図２の破線で示すように、第１及び第２挟持体２，３の摘み部７をばね４に抗して閉じることにより、茎支持部６を開き、茎支持部６,６間に植物の茎Ｐを受け入れると同時に、近傍の吊り紐Ｒを紐止め部８，８間に受け入れる。図６に示すように、茎支持部６，６及び紐止め部８をばね力で閉じ、吊り紐Ｒを第１の挟持体２の摘み部７に巻き付けて、吊り紐Ｒに係止し、植物を支持する。万一、茎支持部６，６間が開いても、摘み部７に巻き付けられた吊り紐Ｒが係止爪７ｂに係止されるため、クリップ１が吊り紐Ｒから外れることがなく、確実に植物の茎を支持することができる。
【符号の説明】
【００１４】
１    植物茎誘引用クリップ
２    第１の挟持体
３    第２の挟持体
４    ばね
５    枢支部
６    茎支持部
６ａ  嵌合凹部
６ｂ  嵌合凸部
７    摘み部
７ｄ  係止爪
８    紐止め部
Ｒ    吊り紐
Ｐ    茎
【図１】
2014223022.tif 000003
【図２】
2014223022.tif 000004
【図３】
2014223022.tif 000005
【図４】
2014223022.tif 000006
【図５】
2014223022.tif 000007
【図６】
2014223022.tif 000008